(57)【要約】【課題】商品（携帯電話）９２を展示するための展示台（制御ユニット）１に、接続体（コネクタボックス）２を介して商品を取外し可能に固定する商品展示装置において、展示台から接続体を取り外す回数を示すカウント表示を行いながらも商品アピールのみを考慮した商品展示を行う。【解決手段】展示台から接続体が取外される回数をカウントするカウンタ１３と、展示台及び接続体とは別に設けられ、カウンタのカウント値を表示する表示装置８と、表示装置に設けられたスイッチ８１による指示に基づいて、カウンタから表示装置にカウント値を送信する通信手段とを備える。カウンタのカウント値の表示が展示台、接続体とは別に設けられた表示装置８にて行われるため、展示台には表示装置を設ける必要はなくなり、商品の展示に際し、表示装置の存在を意識することなく、商品のアピールのみを考慮して展示を行うことができる。【選択図】図３
2013009777.tif 000002
【特許請求の範囲】
【請求項１】
商品を展示するための展示台に、接続体を介して商品を取外し可能に固定する商品展示装置において、
前記展示台から接続体が取外される回数をカウントするカウンタと、
前記展示台及び接続体とは別に設けられ、前記カウンタのカウント値を表示する表示装置と、
該表示装置に設けられたスイッチによる指示に基づいて、前記カウンタから表示装置にカウント値を送信する通信手段とを備えることを特徴とする商品展示装置。
【発明の詳細な説明】
【技術分野】
【０００１】
本発明は、携帯電話、デジタルカメラ、ゲーム機のような製品（以下、商品ともいう）を店頭等で展示する際に使用する商品展示装置に関する。
【背景技術】
【０００２】
下記特許文献１には、盗難防止を図りながら商品展示を行う装置が記載されている。ところで、商品展示装置において、展示商品を客が手に取った回数をカウントし、それを展示台に表示することが行われている。これにより複数の商品中の当該商品への客の関心度合を知ることができる。
【先行技術文献】
【特許文献】
【０００３】
【特許文献１】特開２０１０−２７７３７９号公報
【発明の概要】
【発明が解決しようとする課題】
【０００４】
しかし、従来技術では、カウント表示が展示台毎に行われるものであり、しかも店員が表示の確認を行い易くするため、各展示台には比較的大きな表示スペースが必要であり、商品アピールのみを考慮した商品展示ができない。即ち、スマートな商品展示ができない問題がある。
本発明は、このような問題に鑑み、カウント表示は商品展示台とは別の場所で行うことにより、カウント表示を行いながらも商品アピールのみを考慮した商品展示を行うことを課題とする。
【課題を解決するための手段】
【０００５】
本発明の第１発明は、商品を展示するための展示台に、接続体を介して商品を取外し可能に固定する商品展示装置において、前記展示台から接続体が取外される回数をカウントするカウンタと、前記展示台及び接続体とは別に設けられ、前記カウンタのカウント値を表示する表示装置と、該表示装置に設けられたスイッチによる指示に基づいて、前記カウンタから表示装置にカウント値を送信する通信手段とを備えることを特徴とする商品展示装置である。
第１発明によれば、カウンタのカウント値の表示が展示台、接続体とは別に設けられた表示装置にて行われるため、展示台には表示装置を設ける必要はなくなり、商品の展示に際し、表示装置の存在を意識することなく、商品のアピールのみを考慮して展示を行うことができる。
しかも、展示台に表示装置が備えられる場合には、本来は見て欲しくない客にも表示装置に表示されたカウント値を見られてしまうが、第１発明によれば、その不具合を解消することができる。
さらに、展示台が多数（例えば、４０台程度）ある場合には、各展示台に表示装置を設けると、その分コストアップとなるが、第１発明によれば、多数の展示台に対しても表示装置は一つのみで済み、コストを低く抑えることができる。
【０００６】
本発明の第２発明は、上記第１発明において、前記展示台と接続体との結合体は複数個あり、前記カウンタは各展示台に対応して設けられ、前記表示装置にはメモリを備え、各展示台のカウント値を前記表示装置に表示したとき、前記メモリに各展示台別にカウント値を記録することを特徴とする。
第２発明によれば、カウント値が表示されるのみでなく、表示装置のメモリに各展示台別にカウント値が記録されるため、各展示台のカウント値を比較検討することにより、各展示台毎の商品の魅力度を検討することができる。また、この記録をパソコンによりネットワークに接続すれば、広域での比較検討を容易に行うことができる。
【０００７】
本発明の第３発明は、上記第１又は第２発明において、前記接続体と商品との間にはセンサケーブルが接続され、商品がセンサケーブルから取り外されると、それを検出して警報を発する警報装置を備え、前記表示装置に設けられた前記スイッチのスイッチ操作により、前記警報装置を作動可能な状態と作動停止状態とに切り換える機能と、前記カウンタのカウント値を前記表示装置に表示させる機能とを両立させる識別作動手段を備えることを特徴とする。
第３発明によれば、一つのスイッチ操作でも、警報装置を作動可能な状態と作動停止状態とに切り換える機能と、カウンタのカウント値を表示装置に表示させる機能とを両立させるため、スイッチを多機能化することができ、表示装置のスイッチを一つのみとして表示装置をコンパクトにすることができる。
【図面の簡単な説明】
【０００８】
【図１】本発明の第１の実施形態の使用状態における構成説明図である。
【図２】上記第１の実施形態の全体構成説明図である。
【図３】上記第１の実施形態の電気回路ブロック図である。
【図４】上記第１の実施形態のリモコンにおける信号処理のフローチャートである。
【図５】上記第１の実施形態のスイッチ操作識別処理のフローチャートである。
【図６】上記第１の実施形態のカウンタの動作処理のフローチャートである。
【図７】上記第１の実施形態の盗難検出処理のフローチャートである。
【図８】本発明の第２の実施形態のスイッチ操作識別処理のフローチャートである。
【図９】上記第２の実施形態のカウンタ出力処理のフローチャートである。
【発明を実施するための形態】
【０００９】
以下、本発明の実施形態を図面を参照しながら説明する。
<第１の実施形態>
第１の実施形態では、展示用商品として携帯電話を用いた場合について説明しており、図１に示すように、制御ユニット（本発明における展示台）１の上にコネクタボックス（本発明における接続体）２を介して取外し可能に固定された携帯電話９２が傾斜台９１上に固定されている。傾斜台９１は店舗内で客の見やすい位置に携帯電話９２を展示するように、高さと傾斜角度を設定している。
図１及び２に示すように、制御ユニット１とコネクタボックス２とは磁力により分離可能に結合され、コネクタボックス２は携帯電話９２を固定している。
また、コネクタボックス２と携帯電話９２は、両面テープ６によって相互に接着固定されている。携帯電話９２には盗難検出用のセンサケーブル３が取り付けられると共に、充電用ケーブル４が充電端子に接続されている。
センサケーブル３の先端には、盗難検出用プローブ３２が設けられ、この盗難検出用プローブ３２が携帯電話９２の一部に接着固定されている。盗難検出用プローブ３２は、電気的には図３に示すようにオンオフスイッチであり、盗難検出用プローブ３２が携帯電話９２から取り外されるとオフとなり、取り付けられるとオンとなるように構成されている。後述するように、携帯電話９２から盗難検出用プローブ３２が取り外されると、盗難検出用プローブ３２はオンからオフとなって、制御回路１０中の盗難検出機能により赤色ＬＥＤ（発光ダイオード）１７が点灯されると同時にブザー１８が作動されて、商品である携帯電話９２が盗難されようとしていることが警報される。
センサケーブル３の一端と充電用ケーブル４の一端は、共にコネクタボックス２のコネクタ２１〜２４に接続されている。
【００１０】
コネクタボックス２には、全て同一形状、同一構造のコネクタ２１〜２４が４個設けられており、各コネクタ２１〜２４は、大略円筒形を成すコネクタボックス２の環状側壁上に略等間隔に配置されている。各コネクタ２１〜２４の各端子は、電気的には互いに並列接続されており、各端子からの電気配線はワイヤ５を介して制御ユニット１に接続されている。
制御ユニット１には、制御回路１０、充電用電源回路１２等が内蔵されており、各回路は、制御ユニット１のコネクタ１１、上記ワイヤ５のコネクタ５１を介してワイヤ５に接続され、更にコネクタボックス２内で各コネクタ２１〜２４に接続されている。なお、制御回路１０には、カウンタ１３、リセットスイッチ１４、検出スイッチ１５、送受信機１６、赤色ＬＥＤ１７、ブザー１８及び緑色ＬＥＤ１９が接続されている。また、制御ユニット１には、図示されていないが、電源線が接続されて外部電源が供給されている。
検出スイッチ１５は、制御ユニット１の上部中央に突出して設けられたピンがコネクタボックス２に押圧されているか否かを検出するスイッチであり、制御ユニット１上にコネクタボックス２が取り付けられていると、ピンが押圧されて検出スイッチ１５はオフからオンとされる。
送受信機１６は、後述の表示装置８の送受信機８３との間で通信を行うもので、通信には赤外線が使用されている。また、カウンタ１３は、制御ユニット１からコネクタボックス２が取り外された回数をカウントするものである。
【００１１】
制御ユニット１は半透明の樹脂カバーで覆われており、赤色ＬＥＤ１７或いは緑色ＬＥＤ１９が発光されると、その光を外部に透過させる。また、送受信機１６と表示装置８の送受信機８３との間の赤外線による通信を可能としている。更に、樹脂カバーのブザー１８に対応する位置にはブザー作動音を通過させるための孔が開けられている。樹脂カバーの胴部には針先が貫通する程度の小孔（不図示）が設けられ、リセットスイッチ１４は小孔に対応して制御ユニット１内に設けられたスイッチで、針先によって任意に操作され、操作によりカウンタ１３のカウント値がリセットされる。
【００１２】
図２、３に示されるように、表示装置８は、いわゆるリモコンタイプの端末装置であり、制御回路８０、操作スイッチ８１、表示器８２、送受信機８３、メモリ８４が接続されて成る。操作スイッチ８１は、表示装置８の表面上にある操作釦が押圧操作されることによりオフからオンとなるスイッチであり、表示器８２は、上記操作釦に並べて表示装置８の表面上に配置されて制御ユニット１のカウンタ１３のカウント値を表示する。送受信機８３は、制御ユニット１の送受信機１６との間で赤外線通信を行うものである。また、メモリ８４は、制御ユニット１のカウンタ１３のカウント値を展示台別に記憶するものである。
【００１３】
図３に示されるように、コネクタボックス２の各コネクタ２１〜２４には、センサケーブル３のコネクタ３１も充電用ケーブル４のコネクタ４１も共通に接続可能とされており、各コネクタ２１〜２４内には、コネクタ３１の端子３１１、３１２に接続される端子２１２、２１３が配置されると共に、コネクタ４１の端子４１１、４１２に接続される端子２４１、２４４が配置されている。
従って、コネクタ２１〜２４の一つにセンサケーブル３のコネクタ３１が接続されれば、コネクタ２１〜２４内の端子のうち、コネクタ３１の端子３１１、３１２に対応する端子２１２、２１３を通じて制御ユニット１内の制御回路１０に盗難検出用プローブ３２が接続される。また、充電用ケーブル４のコネクタ４１がコネクタ２１〜２４の一つに接続されれば、コネクタ２１〜２４内の端子の内、コネクタ４１の端子４１１、４１２に対応する端子２４１、２４４を通じて、制御ユニット１の充電用電源回路１２に携帯電話９２の電池が接続される。
以上の図３に基づく説明では、センサケーブル３のコネクタ３１がコネクタボックス２のコネクタ２１に接続され、充電用ケーブル４のコネクタ４１がコネクタボックス２のコネクタ２４に接続された場合について説明したが、センサケーブル３のコネクタ３１や充電用ケーブル４のコネクタ４１が、コネクタボックス２のどのコネクタに接続されても同様に機能することができる。
【００１４】
このように共通化された複数のコネクタ２１〜２４がコネクタボックス２上に設けられていることにより、携帯電話９２にセンサケーブル３と充電用ケーブル４の両方を取り付け、その取付位置が携帯電話９２の種類や機種によって種々変化する場合でも、各ケーブル３、４は複数のコネクタ２１〜２４の中から最寄りの位置にあるものを選択して使用することができ、複数のケーブル３、４が錯綜することなく、見栄え良く配索することができる。携帯電話９２が分割可能なものであり、センサケーブル３が複数本となる場合には、その効果はより顕著である。
また、各コネクタ２１〜２４には、制御回路１０に接続される端子２１２、２１３、２４２、２４３と、充電用電源に接続される端子２１１、２１４、２４１、２４４とがそれぞれ設けられているため、各コネクタ２１〜２４、３１、４１の端子構造を変更し、各コネクタ２１〜２４の端子の電気接続を変更するだけの簡単な構成で、コネクタの共通化を図ることができる。
【００１５】
図４には表示装置８内の制御回路８０における信号処理がフローチャートによって示されている。
プログラムが起動されると、ステップＳ２１では操作スイッチ８１のオン操作に応じて送受信機８３から赤外線信号が発信される。次のステップＳ２２では、送受信機８３において制御ユニット１の送受信機１６から赤外線信号が受信されているか否かが判定される。後述のように送受信機８３からの赤外線信号に応じて送受信機１６からカウンタ１３のカウント値を表す赤外線信号が送信され、送受信機８３においてその信号を受信していれば、ステップＳ２２は肯定判断され、ステップＳ２３において表示器８２にカウント値が表示される。後述のように送受信機１６からカウンタ１３のカウント値を表す赤外線信号が送信されず、ステップＳ２２が否定判断されれば、送受信機１６から送受信機８３に赤外線信号が送信されるのを待つ。
ステップＳ２３にて表示器８２にカウント値が表示されたとき、同時にメモリ８４に制御ユニット１を特定する信号と共にカウント値が記憶される。
このように表示装置８にカウント値が表示されるのみでなく、メモリ８４に各制御ユニット１別にカウント値が記録されるため、各制御ユニット１のカウント値を比較検討することができ、それにより各制御ユニット１毎の携帯電話９２の魅力度を検討することができる。
本実施形態では、通信手段として赤外線通信を採用したため、他の電波の影響を受けることなく安定した通信を行うことができる。また、赤外線通信は、他の通信手段に比べて指向性が強くないため、送受信機を互いに接近させるのみで方向性は意識することなく通信が可能となり、使い易いというメリットもある。
【００１６】
図５には制御ユニット１内の制御回路１０におけるスイッチ操作識別処理がフローチャートによって示されている。
プログラムが起動されると、ステップＳ３１において送受信機１６に赤外線信号が受信されたか否かが判定される。赤外線信号が受信され、ステップＳ３１が肯定判断されると、ステップＳ３２においてセキュリティＯＮ状態にあるか否かが判定される。即ち、後述のように盗難検出用プローブ３２が携帯電話９２から取り外されたか否かを監視して取り外されたときには警報を発する状態にあるかが判定される。このときセキュリティＯＮ状態になければ、ステップＳ３２は否定判断され、ステップＳ３３においてセキュリティＯＮ状態とされる。
このとき既にセキュリティＯＮ状態となっていてステップＳ３２が肯定判断されれば、ステップＳ３４においてブザー１８がＯＦＦ状態か否かが判定される。後述のようにブザー１８は盗難検出用プローブ３２が携帯電話９２から取り外されて警報を発するときに作動（ＯＮ）されるが、それ以外のときは非作動（ＯＦＦ）とされており、ステップＳ３４は肯定判断され、ステップＳ３５においてカウンタ１３のカウント値が出力される。この出力は送受信機１６を介して送受信機８３に赤外線信号によって送信され、表示装置８の表示器８２にカウンタ１３のカウント値が表示される。
このようにカウンタ１３のカウント値の表示が展示台である制御ユニット１、接続体であるコネクタボックス２とは別に設けられた表示装置８にて行われるため、制御ユニット１には表示器を設ける必要はなくなり、携帯電話９２の展示に際し、表示器の存在を意識することなく、携帯電話９２の商品アピールのみを考慮して展示を行うことができる。
しかも、制御ユニット１に表示器が備えられる場合には、本来は見て欲しくない客にも表示器に表示されたカウント値を見られてしまうが、第１の実施形態によれば、その不具合を解消することができる。
さらに、制御ユニット１が多数（例えば、４０台程度）ある場合には、各制御ユニット１に表示器を設けると、その分コストアップとなるが、第１の実施形態によれば、多数の制御ユニット１に対しても表示器は一つのみで済み、コストを低く抑えることができる。
【００１７】
一方、ブザー１８が作動（ＯＮ）状態にあってステップＳ３４が否定判断されると、ステップＳ３６においてブザー１８が非作動（ＯＦＦ）とされると共に、ステップＳ３７においてセキュリティＯＮ状態が解除されてＯＦＦ状態とされる。
このように操作スイッチ８１が操作されて、送受信機８３から赤外線信号が送信されると、このときセキュリティＯＮ状態にあるか否かにより、またブザー１８がＯＦＦ状態にあるか否かにより、セキュリティＯＮ状態になければセキュリティＯＮ状態とされ、セキュリティＯＮ状態で、ブザー１８が作動されていなければカウンタ１３のカウント値が表示器８２に送信されて表示され、ブザー１８が作動されているときならば、ブザー１８の作動が停止され、セキュリティＯＦＦ状態とされる。
従って、一つのスイッチ操作でも、警報（セキュリティ）装置を作動可能なＯＮ状態と作動停止（ＯＦＦ）状態とに切り換える機能と、カウンタ１３のカウント値を表示装置８の表示器８２に表示させる機能とを両立させるため、操作スイッチ８１を多機能化することができ、表示装置８の操作スイッチ８１を一つのみとして表示装置８をコンパクトにすることができる。
【００１８】
図６には制御ユニット１内の制御回路１０におけるカウンタの動作処理がフローチャートによって示されている。
プログラムが起動されると、ステップＳ４１においてリセットスイッチ１４が操作されてカウンタ１３に対するカウント値のリセット信号が発生されたか否かが判定される。リセット信号が発せられて、ステップＳ４１が肯定判断されると、カウンタ１３のカウント値がリセットされて初期化される。
一方、リセット信号が発せられていなければ、ステップＳ４１は否定判断され、次のステップＳ４３においてセキュリティＯＮ状態か否かが判定される。このときセキュリティＯＮ状態でなければ、ステップＳ４３は否定判断され、セキュリティＯＮ状態となるのを待ち、セキュリティＯＮ状態になると、ステップＳ４３は肯定判断され、ステップＳ４４において制御ユニット１とコネクタボックス２が結合状態にあるか否かが判定される。このとき制御ユニット１とコネクタボックス２が結合状態にあってステップＳ４４が肯定判断されると、ステップＳ４５において緑色ＬＥＤ１９が消灯される。一方、制御ユニット１とコネクタボックス２が結合状態になく、ステップＳ４４が否定判断されると、ステップＳ４６において制御ユニット１のカウンタ１３がインクリメントされる。次のステップＳ４７では、１秒間の遅延動作が行われる。これは制御ユニット１とコネクタボックス２が結合状態を検出する検出スイッチ１５のチャタリングによってカウンタ１３が誤動作することを防止している。ステップＳ４７における１秒間が経過してステップＳ４８に進むと、ここでは緑色ＬＥＤ１９が点灯される。緑色ＬＥＤ１９の点灯により制御ユニット１とコネクタボックス２が結合状態にないこと、つまり携帯電話９２が展示台である制御ユニット１から持ち上げられていることが表示される。
その後、ステップＳ４９では、再び制御ユニット１とコネクタボックス２が結合状態にあるか否かが判定される。このとき制御ユニット１とコネクタボックス２が結合状態になく、ステップＳ４９が否定判断されると、再度ステップＳ４８に戻り、緑色ＬＥＤ１９の点灯が継続される。制御ユニット１とコネクタボックス２が結合状態に戻されて、ステップＳ４９が肯定判断されると、再度ステップＳ４３に戻って上述の処理を繰り返すことになる。
【００１９】
図７には制御ユニット１内の制御回路１０における盗難検出処理がフローチャートによって示されている。
プログラムが起動されると、ステップＳ１では赤色ＬＥＤが点灯される。この点灯により商品展示をしている店員は、盗難検出回路が検出可能状態にないことを知ることができる。ステップＳ２では、検出開始操作が行われたか否かが判定される。検出開始操作は、図２に示す表示装置８のスイッチ操作によって行われる。スイッチ操作が行われるまではステップＳ２が否定判断されて、ステップＳ１により赤色ＬＥＤの点灯が継続されるが、スイッチ操作が行われてステップＳ２が肯定判断されると、ステップＳ３において、赤色ＬＥＤは消灯され、盗難検出回路が検出可能状態となったことが表示される。
次のステップＳ４では、盗難検出用プローブ３２の状態が確認される。即ち、盗難検出用プローブ３２がオン状態かオフ状態かが確認される。次のステップＳ５では、ステップＳ４で確認された盗難検出用プローブ３２の状態が記録される。
ステップＳ６では、ステップＳ４と同様に現在の盗難検出用プローブ３２の状態が検出され、ステップＳ７ではステップＳ５で記録された盗難検出用プローブ３２の状態とステップＳ６で検出された盗難検出用プローブ３２の状態とが比較される。この比較の結果、両者が不一致か否かがステップＳ８にて判定され、両者が一致していればステップＳ８は否定判断されて、ステップＳ６とステップＳ７の処理を繰り返す。両者が不一致となってステップＳ８が肯定判断されると、ステップＳ９において赤色ＬＥＤが点灯されると共にブザーが作動される。当初、記録された盗難検出用プローブ３２の状態に対して、現在の盗難検出用プローブ３２の状態が不一致となったということは、携帯電話９２に固定されていた盗難検出用プローブ３２が取り外されたか、取り外されていた盗難検出用プローブ３２が携帯電話９２に固定されたことを意味するため、警報を発して、携帯電話９２が盗難されようとしていることを警報する。
ステップＳ１０では、解除信号を受信したか否かが判定される。解除信号は上述の表示装置８のスイッチ操作により発せられ、解除信号が受信されていない間は、ステップＳ１０は否定判断され、ステップＳ９において警報が発せられ続ける。解除信号が受信され、ステップＳ１０が肯定判断されると、ステップＳ１１において赤色ＬＥＤが消灯されると共に、ブザーの作動が停止されて、警報が停止される。
以上のようにして盗難検出が行われる。
【００２０】
<第２の実施形態>
第２の実施形態は、第１の実施形態における表示装置８の操作スイッチ８１を一つのみでなく、二つにした場合を示す。
第１の実施形態の場合、表示装置８の操作スイッチ８１は、多機能スイッチとしてセキュリティＯＮ状態とするか否かを切り換える第１の機能と、カウンタ１３のカウント値を表示器８２に表示させる第２の機能とを備えていた。第２の実施形態では、各機能毎に独立した操作スイッチ（不図示）を設けている。
図８には、図５と同様のフローチャートが示されているが、ここでは第１の機能のみを実現している。
ステップＳ３１においては、第１の機能の操作スイッチが操作され、送受信機１６に赤外線信号が受信されたか否かが判定される。赤外線信号が受信され、ステップＳ３１が肯定判断されると、ステップＳ３２においてセキュリティＯＮ状態にあるか否かが判定される。このときセキュリティＯＮ状態になければ、ステップＳ３２は否定判断され、ステップＳ３３においてセキュリティＯＮ状態とされる。このとき既にセキュリティＯＮ状態となっていてステップＳ３２が肯定判断されれば、ステップＳ３６においてブザー１８が非作動（ＯＦＦ）とされると共に、ステップＳ３７においてセキュリティＯＮ状態が解除されてＯＦＦ状態とされる。
図９には、第２の機能を実現するためのフローチャートが示されている。
プログラムが起動されると、ステップＳ５１において第２の機能の操作スイッチが操作され、送受信機１６に赤外線信号が受信されたか否かが判定される。赤外線信号が受信され、ステップＳ５１が肯定判断されると、ステップＳ５２においてカウンタ１３のカウント値が出力される。この出力は送受信機１６を介して送受信機８３に赤外線信号によって送信され、表示装置８の表示器８２にカウンタ１３のカウント値が表示される。表示器８２へのカウント値の表示は、図４のフローチャートにて説明した処理プログラムによって行われる。
このように、表示装置８の操作スイッチは、第１の機能を実現するためのものと、第２の機能を実現するためのものとを、それぞれ設けてシステムを構成することもできる。
【００２１】
以上の第１の実施形態及び第２の実施形態において、送受信機１６、送受信機８３、図５のステップＳ３１、３５の処理、及び図９のステップＳ５１、５２の処理は、本発明の通信手段に相当し、赤色ＬＥＤ１７及びブザー１８は、本発明の警報装置に相当し、図５のステップＳ３１〜３７の処理は、本発明の識別作動手段に相当する。
【００２２】
本発明は、上記実施形態で説明した外観、構成に限定されず、本発明の要旨を変更しない範囲で種々の変更、追加、削除が可能である。例えば、
１．上述の実施形態では、通信手段として赤外線通信の例を説明したが、他の光、電波、音波を使った通信手段としても良い。
２．展示用商品については、上記実施形態では携帯電話の場合を例示したが、デジタルカメラ、ゲーム機などでも良いことは勿論である。
【符号の説明】
【００２３】
１    制御ユニット（展示台）
１０  制御回路
１３  カウンタ
１４  リセットスイッチ
１５  検出スイッチ
１６  送受信機
１７  赤色ＬＥＤ
１８  ブザー
１９  緑色ＬＥＤ
２    コネクタボックス（接続体）
３    センサケーブル
３２  盗難検出用プローブ
４    充電用ケーブル
５    ワイヤ
６    両面テープ
８    表示装置
８０  制御回路
８１  操作スイッチ（スイッチ）
８２  表示器
８３  送受信機
８４  メモリ
【図１】
2013009777.tif 000003
【図２】
2013009777.tif 000004
【図３】
2013009777.tif 000005
【図４】
2013009777.tif 000006
【図５】
2013009777.tif 000007
【図６】
2013009777.tif 000008
【図７】
2013009777.tif 000009
【図８】
2013009777.tif 000010
【図９】
2013009777.tif 000011